(57)【要約】【課題】画質の歪みを防止して高輝度及び高効率を達成し得るプラズマディスプレイパネルを提供する。【解決手段】左右に隣接して相互に対応するように形成された第１及び第２放電セルＳ１、Ｓ２と、第１及び第２放電セルＳ１、Ｓ２の下方に隣接し、横方向の長さを第１放電セルから第２放電セルまでの横方向の長さと同じに形成し、縦方向の長さは第１及び第２放電セルより短く形成された第３放電セルＳ３とを包含して相互に異なる構造の放電セルを有する画素セルでプラズマディスプレイパネルを構成する。【選択図】　図１
2004014518.tif 000002
【特許請求の範囲】
【請求項１】
相互に異なる構造の三つの放電セルを有する画素セルにより構成されることを特徴とするプラズマディスプレイパネル（ＰＤＰ）。
【請求項２】
前記放電セルは、
前記一つの画素セルの縦方向に隣接した放電セル間に共有されるように形成されるアドレス電極を有することを特徴とする請求項１記載のＰＤＰ。
【請求項３】
前記アドレス電極は、
前記一つの放電セル内に形成された二つの透明電極と重なるように形成されることを特徴とする請求項２記載のＰＤＰ。
【請求項４】
三つの放電セルからなる画素セルを含むＰＤＰであって、
横方向に隣接するように形成された第１及び第２放電セルと、
横方向の長さが前記第１放電セルから前記第２放電セルまでの横方向の長さと同じに形成されると共に縦方向の長さが前記第１及び第２放電セルの長さより短く形成された第３放電セルとを包含して構成されることを特徴とするＰＤＰ。
【請求項５】
前記第１、第２及び第３放電セルから構成される前記画素セルは、正四角形であることを特徴とする請求項４記載のＰＤＰ。
【請求項６】
前記第１及び第２放電セルは、
バス電極と、そのバス電極からそれぞれのセル領域内に突出するように形成された透明電極とから構成されることを特徴とする請求項４記載のＰＤＰ。
【請求項７】
前記第３放電セルは、
バス電極と、そのバス電極から、前記第１及び第２放電セルの透明電極の横方向の長さより長く、縦方向の長さが短く形成されて、セル領域に突出させて形成させた透明電極とから構成されることを特徴とする請求項４記載のＰＤＰ。
【請求項８】
前記第１、第２及び第３放電セルは、
それぞれ四角隔壁によって包囲されていることを特徴とする請求項４記載のＰＤＰ。
【請求項９】
前記画素セルは、
横方向に隣接して形成された二つの第１及び第２放電セルと、それら第１及び第２放電セルの縦方向に隣接して形成された第３放電セルとから構成されることを特徴とする請求項４記載のＰＤＰ。
【発明の詳細な説明】
【０００１】
【発明の属する技術分野】
本発明はプラズマディスプレイパネル（ＰＤＰ）に係るもので、詳しくは、画質の歪みを防止できるとともに高輝度及び高効率を達成することができるＰＤＰに関する。なお、本明細書における縦横とは図示の状態での方向である。
【０００２】
【従来の技術】
最近、次世代のデジタルマルチメディア用ディスプレイデバイスとして、各種のフラットパネルディスプレイ装置（ＦＰＤ）が開発されている。そして、このようなＦＰＤには、液晶ディスプレイ装置（ＬＣＤ）、電界放出ディスプレイ装置（ＦＥＤ）、ＰＤＰ及びエレクトロルミネッセンス（ＥＬ）等がある。特に、ＰＤＰは他のＦＰＤに比べて非常に優れているため広く実用に供されている。ＰＤＰはプラズマガス放電を利用した自己発光ディスプレイデバイスであって、ＣＲＴに匹敵する画質及び大型画面を容易に製作し得るので、高画質及び大型画面の利点を有する大型画面ディスプレイデバイスとして最も期待されている。このＰＤＰは、三つの電極を有し交流電圧により駆動される３電極交流面放電型ＰＤＰが代表的なものである。
【０００３】
以下、ＰＤＰを構成する放電セルについて説明するにあたって、赤（Ｒ）、緑（Ｇ）及び青（Ｂ）の３原色中のいずれか一つの可視光線を発光する個々のセルを放電セルといい、３色の三つの放電セルによって一つの画素を構成するセルを画素セルという。
【０００４】
従来のＰＤＰは、図４に示すように、前面板１１０と背面板１２０が所定の距離離して配置され、その間に放電ガスが注入されている。図はＰＤＰの一つのセルのみを示している。
【０００５】
前面板１１０は、上部ガラス基板１００と、上部ガラス基板１００の一面に形成させた走査電極１０２Ｙと維持電極１０２Ｘとからなる維持電極対１０２Ｙ、１０２Ｚと、上部ガラス基板１００及び維持電極対１０２Ｙ、１０２Ｚの上にプラズマが放電するとき発生する壁電荷を蓄積させるために形成された上部誘電体層１０３と、上部誘電体層１０３の上に形成され、プラズマが放電するとき発生するイオンのスパッタリングから上部誘電体層１０３の損傷を防止し、二次電子放出の効率を高めて放電プラズマの駆動電圧及び維持電圧を低減させる保護膜１０５とから構成されている。
【０００６】
走査電極１０２Ｙは、第１透明電極１０２Ｙ１と第１バス電極１０２Ｙ２とから形成され、維持電極１０２Ｚは、第２透明電極１０２Ｚ１と第２バス電極１０２Ｚ２とから形成される。また、保護膜１０５は、通常、酸化マグネシウム（ＭｇＯ）が使用される。
【０００７】
一方、背面板１２０は、下部ガラス基板１０１と、下部ガラス基板１０１の一面に形成されたアドレス電極１０２Ｘと、アドレス電極１０２Ｘを覆うように下部ガラス基板１０１に塗布された下部誘電体層１０４と、放電空間を形成し、放電空間で生成された紫外線や可視光線によるクロストークを防止するため、下部誘電体層１０４の上にほぼ垂直に形成された隔壁１０７と、プラズマが放電するとき発生した紫外線によって励起されて、Ｒ、Ｇ、Ｂの３原色中、いずれかの可視光線を発光するように、下部誘電体層１０４や隔壁１０７の表面に塗布された蛍光体１０６とから構成される。
【０００８】
このように構成されたＰＤＰは、アドレス電極１０２Ｘと走査電極１０２Ｙを利用してマトリックス状に配列された放電セルにアクセスし、アクセスされた放電セルにおいて、走査電極１０２Ｙと維持電極１０２Ｚの間の面放電による放電で維持放電が発生し、その際発生する紫外線により蛍光体１０６が励起され、蛍光体１０６からいずれかの可視光線がセルの外に放出される。この可視光線の放出により画像が表示される。
【０００９】
以下、このような放電セルからなる従来のＰＤＰの隔壁構造について、図５〜９に基づいて説明する。
【００１０】
図５は従来のＰＤＰのストライプ状隔壁構造を示した斜視図で、図６は従来のＰＤＰのワッフル状（井桁状）隔壁構造を示した斜視図である。図示されたように、ストライプ状隔壁２０７構造は、直線状の隔壁が平行に並んでいるだけであるので、放電ガスを容易に排出させることはできるが、個々のセルの蛍光体の塗布面積が狭いため輝度が低下するという欠点がある。一方、ワッフル状隔壁３０７構造は、個々のセルの周囲に隔壁が形成されるので、蛍光体の塗布面積が広くなり輝度を向上させることはできるが、放電ガスを容易に排出させることができないという欠点があった。
【００１１】
そこで、このような従来のＰＤＰのストライプ状やワッフル状隔壁構造の欠点を解決するため、デルタ状隔壁構造（ＤｅｌＴＡセル構造）のＰＤＰが提案された。図７に示されたように、従来のデルタ状隔壁構造においては、放電セルを断面六面体で囲んだ隔壁４０７Ａと、隔壁４０７Ａにより形成された放電空間が狭い幅のチャンネル４０８に連結された隔壁４０７Ｂとから形成される。従って、セルは蜂の巣状に配置され、Ｒ、Ｇ、Ｂの各セルが三角形状、即ちデルタ状に配置される。各放電セルが六面体状の隔壁によって囲まれるため、蛍光体の塗布面積及び隔壁の反射率が増加して輝度を向上させることができ、その上、狭い幅のチャンネル４０８でそれぞれのセルが連結されることで排気と放電ガスの注入を円滑にすることができる。且つ、デルタ状隔壁４０７は、狭い幅のチャンネル４０８における放電開始電圧が、形成された放電空間における放電開始電圧より高いため、隔壁方向での混線を減少させることができるという利点がある。
【００１２】
デルタ状隔壁のＰＤＰの維持電極対４０２Ｙ、４０２Ｚは、全ての放電セルにおいて対称に位置しなければならないため、バス電極４０２Ｙ２は、他の隔壁構造とは異なって、透明電極４０２Ｙ１の中央に位置させなければならない。そのため、各バス電極４０２Ｙ２がセルの内側を通るので、各放電セルから放出される可視光線の一部がバス電極４０２Ｙ２によって遮断される。そのため、デルタ状隔壁のＰＤＰは、遮断されただけ輝度が減少するという欠点があった。
【００１３】
このような欠点を解決するため、矩形デルタ状隔壁のＰＤＰが提案された。図８は従来の矩形デルタ状隔壁のＰＤＰの維持電極対の構造を示した平面図で、図９は従来の矩形デルタ状隔壁のＰＤＰのアドレス電極の構造を示した平面図である。
【００１４】
図８、９に示されたように、従来の矩形デルタ状隔壁のＰＤＰの隔壁５０７は、所定の間隔で横方向に平行に配置された第１隔壁５０７Ａとこの第１隔壁５０７Ａに垂直方向に第１隔壁の間を連結するように配置された第２隔壁５０７Ｂとから形成されている。第２隔壁５０７Ｂは図示のように、上のセルの並びとそれに隣接したセルの横方向の並びが半分ずつずれるように配置されている。
【００１５】
この矩形デルタ状隔壁構造のＰＤＰの走査電極５０１は、第１バス電極５０２Ｙ２とその第１バス電極５０２Ｙ２からセルの内側に向けて突出した第１透明電極５０２Ｙ１とで形成されている。また、維持電極５０２Ｚは、第２バス電極５０２Ｚ２とその第２バス電極５０２Ｚ２から第１透明電極５０２Ｙ２に向けて突出した第２透明電極５０２Ｚ１とから形成されている。
【００１６】
また、図９に図示されたように、従来の矩形デルタ状隔壁６０７のＰＤＰのアドレス電極６０２Ｘは、第２隔壁５０７Ｂに沿って配置された幅の狭いアドレス電極６０２Ｘ２と、それぞれのセルの位置で電極６０２Ｘ２から幅広に広がるアドレス電極６０２Ｘ１とで構成されている。これらはそれぞれ縦方向に連結されているのはいうまでもない。狭い幅のアドレス電極６０２Ｘ２は矩形デルタ状隔壁６０７の下を通っている。すなわち、第２隔壁に沿って配置された幅の狭いアドレス電極が放電セルの内側を通る箇所でその幅が広がっているということもできる。
【００１７】
このように、矩形デルタ状隔壁のＰＤＰの放電セルは、矩形デルタ状隔壁６０７により周囲四面が包囲されるため蛍光体の塗布面積が増加し、隔壁の反射率の増加により輝度を向上させることができるという利点がある。
【００１８】
【発明が解決しようとする課題】
しかるに、このように構成された従来の矩形デルタ状隔壁のＰＤＰにおいては、各放電セルがマトリックス状に構成されずにジグザグ状に構成されるため、直線の表現が難しく、ＰＤＰの画質に歪みが発生するという不都合な点があった。また、放電セルの大きさが一定しないため、色温度の調節に制約が伴うという不都合な点があった。
【００１９】
また、従来のストライプ状隔壁は、放電セルの形態が長方形であるため、正四角形に比べて放電効率が低く、さらに、デルタ及び矩形デルタの隔壁は、放電セルの大きさが同一に形成されるため、色温度及び輝度の調節に制約が伴い、放電セルがジグザグ状に配置されるため、ＰＤＰ上に直線を表現する場合は画質に歪みが発生して、輝度及び効率に根本的な問題点があった。
【００２０】
従って、本発明は、このような従来の課題に鑑みてなされたもので、上記従来のＰＤＰに生じる様々な欠点を改善することができるＰＤＰ、特に、画質の歪みを防止し得るＰＤＰを提供することを目的とする。
【００２１】
また、本発明の他の目的は、輝度を向上し得るＰＤＰを提供することである。
【００２２】
また、本発明の更に他の目的は、発光効率を向上し得るＰＤＰを提供することにある。
【００２３】
【課題を解決するための手段】
このような目的を達成するため、本発明に係るＰＤＰにおいては、相互に異なる構造の複数の放電セルで画素セルを構成させるようにしたことが特徴である。
【００２４】
また、上記相互に異なる構造の複数の放電セルで画素セルが構成されるＰＤＰは、一つの画素セルが、相互対応するように形成された第１及び第２放電セルと、横方向の長さは第１放電セルから第２放電セルまでの横方向の長さと同じに形成されると共に縦方向の長さは第１及び第２放電セルの長さより短く形成された第３放電セルとから構成されることを特徴とする。
【００２５】
【発明の実施の形態】
以下、本発明の実施の形態について、図面に基づいて説明する。
図１は本発明実施形態に係るプラズマディスプレイパネル（ＰＤＰ）の隔壁構造を示した平面図で、図示されたように、本実施形態に係るプラズマディスプレイパネルは、横方向に隣接して同じ矩形形状で横方向に並べて配置された第１及び第２放電セルＳ１、Ｓ２と、それらの第１及び第２放電セルＳ１、Ｓ２の下方に隣接し、それらの放電セルより横方向の長さは長く、縦方向の長さは短く形成された第３放電セルＳ３とからなる画素セル７０９が縦横両方向に複数形成されている。それらの放電セルはいずれも四角形の隔壁７０７で隔離され、それらの３つの放電セルＳ１〜Ｓ３で正方形、少なくともそれに近い形状の画素セル７０９を構成している。
【００２６】
図示のように、第１と第２放電セルＳ１，Ｓ２はいずれも縦長の長方形で、第３放電セルを横長の長方形とし、第１、第２放電セルを横方向に並べて配置し、第３放電セルＳ３をそれらの配置の縦方向下側に配置することで、全体として正方形状となるようにしている。正確に正方形であることが望ましいが、若干長方形になっていてもよい。これらの三つのセルは隔壁で隔てられている。したがって、第１、第２放電セルＳ１、Ｓ２と第３放電セルＳ３とは、放電セルの形状が相互に異なる。したがって、放電セルに形成される電極構造も相互に異なるように形成される。
【００２７】
図２は本実施形態に係るＰＤＰの電極構造を示した平面図で、図示されたように、第１及び第２放電セルＳ１、Ｓ２は、各バス電極８０２Ｙ２、８０２Ｚ２と、それらバス電極８０２Ｙ２、８０２Ｚ２のそれぞれの放電セルの領域に対応する箇所でそれぞれの領域突出するにように形成された各透明電極８０２Ｙ１、８０２Ｚ１と、各バス電極８０２Ｙ２、８０２Ｚ２と直交して透明電極８０２Ｙ１、８０２Ｚ１の幅の範囲内の領域を通るように形成されたアドレス電極８０２Ｘとから構成される。一方、第３放電セルＳ３は、各バス電極８０２Ｚ２、８１２Ｙ２と、それらのバス電極８０２Ｚ２、８１２Ｙ２からセル領域内に向き合うように突出させて形成された透明電極８１２Ｙ１、８１２Ｚ１と、各バス電極８０２Ｚ２、８１２Ｙ２と直交して各透明電極８１２Ｙ１、８１２Ｚ１の中央部の下側を通過するように形成されたアドレス電極８０２Ｘとから構成される。第３放電セルの透明電極８１２Ｙ１、８１２Ｚ１は、第１及び第２放電セルＳ１、Ｓ２に形成された透明電極８０２Ｙ１、８０２Ｚ１より横方向の長さが長く、縦方向の長さは短く形成される。
【００２８】
このように、一つの画素セルをなす第１及び第２放電セルＳ１、Ｓ２と第３放電セルＳ３とは、大きさが異なるように形成されるため、それら各放電セルに形成される透明電極８０２Ｙ１、８０２Ｚ１、８１２Ｙ１、８１２Ｚ１の大きさも異なる。且つ、アドレス電極８０２Ｘは、上下方向に隣接した放電セルが共有するように形成される。すなわち、一つのアドレス電極は第１放電セルと第３放電セルの双方の領域を通り、もう一つのアドレス電極は第１、第２放電セルの境界と第３放電セルの領域とを通り、さらに他のアドレス電極は第２放電セルと第３放電セルの領域を通過している。したがって、第１放電セル用のアドレス電極と第２放電用のアドレス電極がいずれも第３放電セルの領域を通過しているので、これらのアドレス電極へパルス印加時に第３放電セルが誤放電を起こす可能性がある。そのため、第３放電セルの透明電極８１２Ｙ１、８１２Ｚ１の横方向の長さはこの誤放電が起こらない程度の横方向の長さに調整すべきである。同様に、アドレス電極８０２Ｘも、上記した誤放電が発生しないように、適切にパターニングされなければならない。
【００２９】
各透明電極８０２Ｙ１、８０２Ｚ１、８１２Ｙ１、８１２Ｚ１は、９０％以上の光透過率の良い透明伝導性物質、例えば、インジウムスズ酸化物（ＩＴＯ）により形成される。それら透明電極８０２Ｙ１、８０２Ｚ１、８１２Ｙ１、８１２Ｚ１は伝導性が低いため、バス電極８０２Ｙ２、８０２Ｚ２、８１２Ｙ２を電気伝導度が高い金属物質で形成することで透明電極の抵抗成分を補償させている。従って、各バス電極８０２Ｙ２、８０２Ｚ２、８１２Ｙ２は、狭い幅で、電気伝導度が高い金属、例えば、銀（Ａｇ）や銅（Ｃｕ）で形成する。
【００３０】
図３は本発明実施形態に係るＰＤＰの放電セルの構造を示した縦断面図で、図３（Ａ）は第１及び第２放電セルの構造を示した断面図で、図３（Ｂ）は第３放電セルの構造を示した断面図である。
【００３１】
図３（Ａ）に示されたように、第１及び第２放電セルＳ１、Ｓ２の前面板９１０は、上部ガラス基板９００と、上部ガラス基板９００の一面に形成された走査電極９０２Ｙと維持電極（図示せず）と、それらが形成された上部ガラス基板９００上にプラズマが放電するとき発生する壁電荷を蓄積させる上部誘電体層９０３と、上部誘電体層９０３の上に形成され、プラズマが放電するとき発生するイオンのスパッタリングから上部誘電体層９０３を護ってＰＤＰの寿命を延ばし、二次電子放出の効率を高めて放電プラズマの駆動電圧及び維持電圧を低減させる保護膜９０５とから構成される。
【００３２】
走査電極９０２Ｙと維持電極（図示せず）は、横方向に長く形成されたバス電極９０２Ｙ２と、バス電極９０２Ｙ２のそれぞれの放電セルの箇所でバス電極に接続され、バス電極９０２Ｙ２より短く形成された透明電極９０２Ｙ１とから構成されている（図２参照）。
【００３３】
第１及び第２放電セルＳ１、Ｓ２の背面板９２０は、下部ガラス基板９０１と、下部ガラス基板９０１の一面に形成されたアドレス電極９０２Ｘと、下部ガラス基板９０１に塗布された下部誘電体層９０４と、下部誘電体層９０４の上に形成され、放電空間を形成させて放電空間で生成された紫外線及び可視光線のクロストークを防止する隔壁９０７と、プラズマが放電するとき発生した紫外線によって励起されて、Ｒ、Ｇ、Ｂの３原色のいずれか一つの可視光線が発光するように、下部誘電体層９０４及び隔壁９０７の表面に塗布された蛍光体９０６とから構成される。ここで、第１放電セルＳ１のアドレス電極９０２Ｘ１は、透明電極９０２Ｙ１の幅の範囲内で中央左側に偏って形成され、第２放電セルＳ２のアドレス電極９０２Ｘ３は、透明電極９０２Ｙ１の幅の範囲内で中央右側に偏って形成される。もう一つのアドレス電極９０２Ｘ２は、透明電極との誤放電が発生しないように、隔壁９０７の下に並べて形成する。
【００３４】
前面板９１０に背面板９２０を所定の距離だけ離して平行に配置し、それらの間に放電ガスを注入することで、本実施形態に係るＰＤＰの第１及び第２放電セルＳ１、Ｓ２が構成される。
【００３５】
図３（Ｂ）に図示されたように、第３放電セルＳ３の前面板は、上部ガラス基板９００と、上部ガラス基板９００の一面に形成された走査電極９１２Ｙと維持電極（図示せず）と、それらの電極が形成された基板の上にプラズマが放電するとき電荷を蓄積させる上部誘電体層９０３と、上部誘電体層９０３の上に形成され、プラズマが放電するとき発生するイオンのスパッタリングから上部誘電体層９０３の損傷を防止してＰＤＰの寿命を延ばし、二次電子放出の効率を高めることで、放電プラズマの駆動電圧及び維持電圧を低減させる保護膜９０５とからなる。
【００３６】
第３放電セルの走査電極９１２Ｙと維持電極（図示せず）は、横方向に長く直線状に形成されたバス電極９１２Ｙ２と、バス電極９１２Ｙ２の中間部分、すなわち放電セルの箇所でバス電極９１２Ｙ２より短く、第１及び第２放電セルＳ１、Ｓ２の透明電極９０２Ｙ１よりは長く形成された透明電極９１２Ｙ１とから構成される。
【００３７】
第３放電セルＳ３の背面板は、下部ガラス基板９０１と、下部ガラス基板９０１の一面に形成されたアドレス電極９０２Ｘと、下部ガラス基板９０１の上に塗布された下部誘電体層９０４と、下部誘電体層９０４の上に形成され、放電空間を形成してその放電空間に生成された紫外線及び可視光線のクロストークを防止する隔壁９０７と、プラズマが放電するとき発生した紫外線によって励起されてＲ、Ｇ、Ｂのいずれか一つの可視光線を発光するように、下部誘電体層９０４及び隔壁９０７の表面に塗布された蛍光体９０６とから構成される。
【００３８】
ここで、第３放電セルのアドレス電極９０２Ｘは、下部ガラス基板９０１に三つ形成されるが、その一つのアドレス電極９０２Ｘ２は、透明電極９１２Ｙ１が占める領域の中央に対応して形成され、他の二つのアドレス電極９０２Ｘ１、９０２Ｘ３は、透明電極９１２Ｙ１と対応しないように透明電極９１２Ｙ１と隔壁９０７との間の空間に対応するように夫々形成される。即ち、アドレス電極９０２Ｘ１３は、第１及び第３放電セルＳ１、Ｓ３双方のセル領域を通り、アドレス電極９０２９０２Ｘ３は第２及び第３放電セルＳ２、Ｓ３双方のセル領域を通るように形成されている。
【００３９】
また、前面板９１０と背面板９２０とを組み合わせて放電ガスを注入することで、本実施形態に係るＰＤＰの第３放電セルＳ３が形成される。
【００４０】
【発明の効果】
以上説明したように、相互に異なる構造の複数の放電セルで画素セルが構成されることを特徴とする本発明に係るＰＤＰは、従来のＰＤＰが有している利点を統合した構造であって、従来のＰＤＰにおける画質の歪み、輝度及び効率に関する根本的な問題を全般的に向上させることができる。
【００４１】
相互に異なる構造の複数の放電セルで画素セルが構成されることを特徴とする本発明に係るＰＤＰは、一つの画素セルを構成する三つの放電セル中の一つの放電セルは、他の二つの放電セルより横方向の長さが長く、縦方向の長さは短く形成される。従って、デルタ及び矩形デルタ状隔壁における放電セルのように大きさが同じに構成されたものとは異なり、放電セルの大きさが相互に異なるように形成されるため、色温度の調節が可能で、輝度を向上し得るという効果がある。
【００４２】
また、相互に異なる構造の複数の放電セルで画素セルが構成されることを特徴とする本発明に係るＰＤＰは、画素セルの配置がデルタ及び矩形デルタ状隔壁のジグザグ状でない所定のマトリックス状に構成されるため、ＰＤＰ上に直線を表現する場合、画質の歪みを防止し得るという効果がある。
【００４３】
更に、相互に異なる構造の複数の放電セルで画素セルが構成されることを特徴とする本発明に係るＰＤＰは、各放電セルの形態が、正方形であり、また少なくとも矩形デルタ状よりは正四角形により近いため、放電効率を向上し得るという効果がある。
【００４４】
且つ、隔壁の製造方法及び駆動方式がストライプ状及びワッフル状隔壁と同様な構造であるため、工程を追加せずに輝度及び効率を向上し得るという効果がある。
【図面の簡単な説明】
【図１】本発明実施形態に係るＰＤＰの隔壁構造を示した平面図である。
【図２】本発明実施形態に係るＰＤＰの電極構造を示した平面図である。
【図３】本発明実施形態に係るＰＤＰの放電セルの構造を示した縦断面図で、（Ａ）は第１及び第２放電セルを示した構成図、（Ｂ）は第３放電セルを示した構成図である。
【図４】従来のＰＤＰの放電セルの構造を示した縦断面図である。
【図５】従来のＰＤＰのストライプ状隔壁構造を示した斜視図である。
【図６】従来のＰＤＰのワッフル状隔壁構造を示した斜視図である。
【図７】従来のＰＤＰのデルタ状隔壁構造を示した平面図である。
【図８】従来のＰＤＰの矩形デルタ状隔壁の維持電極対の構造を示した平面図である。
【図９】従来のＰＤＰの矩形デルタ状隔壁のアドレス電極の構造を示した平面図である。
【符号の説明】
９００：上部ガラス基板、９０１：下部ガラス基板、８０２Ｘ、９０２Ｘ：アドレス電極、９０２Ｙ、９１２Ｙ：走査電極、８０２Ｙ１、８０２Ｚ１、８１２Ｙ１、８１２Ｚ１、９０２Ｙ１、９１２Ｙ１：透明電極、８０２Ｙ２、８０２Ｚ２、８１２Ｙ２、９０２Ｙ２、９１２Ｙ２：バス電極、９０３：上部誘電体層、９０４：下部誘電体層、９０５：保護膜、９０６：蛍光体、７０７、９０７：隔壁、９１０：前面板、９２０：背面板、７０９、８０９：画素セル、Ｓ１、Ｓ２、Ｓ３：放電セル。
【図１】
2004014518.tif 000003
【図２】
2004014518.tif 000004
【図３】
2004014518.tif 000005
【図４】
2004014518.tif 000006
【図５】
2004014518.tif 000007
【図６】
2004014518.tif 000008
【図７】
2004014518.tif 000009
【図８】
2004014518.tif 000010
【図９】
2004014518.tif 000011